(57)【要約】      （修正有）【課題】ランドセルの上部に巻回した状態で固定することができるランドセル用サブバッグを提供する。【解決手段】袋部１１と、袋部の一端部に配される第一留具１２と、第一留具に対応する第二留具と、袋部をランドセルの上部に固定する取付具１４とを含むランドセル用サブバッグ１であり、袋部は巻回することが可能な素材で構成されており、第一留具及び第二留具を留めることによって、袋部は巻回した状態でランドセルの上部に固定することが可能なランドセル用サブバッグ。【選択図】図１
2020065616.tif 000002
【特許請求の範囲】
【請求項１】
袋部と、袋部に配される第一留具と、第一留具に対応する第二留具と、袋部をランドセルの上部に固定する取付具とを含むランドセル用サブバッグであり、
袋部は巻回することが可能な素材で構成されており、
第一留具及び第二留具を留めることによって、袋部を巻回した状態で留めて、取付具によってランドセルの上部に固定することが可能なランドセル用サブバッグ。
【請求項２】
第一留具は、袋部に設けられ、巻回方向に延びる長尺物であり、
第二留具は、第一留具を留めるものであり、
第一留具と第二留具を留めた状態で、第一留具が巻回された袋部に沿って追従し、第一留具が袋部の巻回された状態を保持する請求項１に記載のランドセル用サブバッグ。
【請求項３】
袋部は、延ばした状態の袋部がランドセルの冠に対して揺動しないように固定する冠用固定具をさらに備える請求項１又は２に記載のランドセル用サブバッグ。
【請求項４】
冠用固定具は、
一端部が袋部に固定され、他端部が自由端とされた第一固定片と、
一端部が袋部に固定され、他端部が自由端とされた第二固定片とを含み、
第一固定片と第二固定片とは、それぞれの他端部において、接続又は分離可能に構成されている請求項１ないし３のいずれかに記載のランドセル用サブバッグ。
【請求項５】
冠用固定具は、
両端部が袋部に固定され、中ほどにランドセルのベロ及びサガリ金具を通過させる貫通孔を有する固定部を含む請求項１ないし４のいずれかに記載のランドセル用サブバッグ。
【請求項６】
袋部の上端部に手提用の持ち手をさらに備える請求項１ないし５のいずれかに記載のランドセル用サブバッグ。
【発明の詳細な説明】
【技術分野】
【０００１】
本発明は、ランドセルに取り付けて使用するサブバッグに関する。
【背景技術】
【０００２】
ランドセルに入りきらなかった荷物や、ランドセルよりも大きな荷物を収納するために、サブバッグが利用される。荷物で手が塞がれると、児童が転倒した際などに危険なため、ランドセルに取り付けることができるサブバッグが提案されている。
【０００３】
例えば、特許文献１には、ランドセルの背カンに取り付けるためのフックと、冠に取り付けるためのベルトとを備えたサブバッグが記載されている。
【０００４】
また、特許文献２には、冠とランドセル本体との間に配置されるサブバッグが記載されている。このサブバッグは線ファスナーで開閉することができるように構成した開口部を備えている。この開口部の奥は袋状になっており、この袋の中には、係止カバーが収納されている。係止カバーは、先端にナスカンを備えており、基端にスリット孔を備える。上記の開口部を開けた状態で、係止カバーを開口部から取り出して延ばすことができるようになっている。バッグ本体をランドセル本体と冠との間に挟んだ状態で、係止カバーを延ばし、スリット孔にランドセルのサガリ金具を通し、係止カバーを冠に接面させた状態で、ナスカンをランドセルの背カンに固定する。これによって、ランドセルにサブバッグを固定する。
【先行技術文献】
【特許文献】
【０００５】
【特許文献１】特開２０１７−１０４４６４号公報
【特許文献２】実用新案登録第３２００６８１号公報
【発明の概要】
【発明が解決しようとする課題】
【０００６】
特許文献１や特許文献２のサブバッグでは、荷物を入れた状態でランドセルに固定すると、荷物の重心がランドセルの冠の付近に位置する。このため、ランドセルにサブバッグを取り付けると、身体から離れた位置に荷物の重心が位置するため、着用者が動きにくくなったり、疲れやすくなったりする。
【０００７】
本発明は、ランドセルの上部に巻回した状態で固定することができるランドセル用サブバッグを提供することを目的とする。
【課題を解決するための手段】
【０００８】
袋部と、袋部に配される第一留具と、第一留具に対応する第二留具と、袋部をランドセルの上部に固定する取付具とを含むランドセル用サブバッグであり、袋部は巻回することが可能な素材で構成されており、第一留具及び第二留具を留めることによって、袋部を巻回した状態で留めて、取付具によってランドセルの上部に固定することが可能なランドセル用サブバッグ（以下、単にサブバッグと称する。）により、上記の課題を解決する。このサブバッグは、ランドセルの上部に巻回した状態で固定することができるので、サブバッグの重心がランドセルの着用者の身体に近くなる。このため、着用者が動きやすく、また疲れにくくなる。
【０００９】
上記のサブバッグにおいて、第一留具は、袋部に設けられ、巻回方向に延びる長尺物であり、第二留具は、第一留具を留めるものであり、第一留具と第二留具を留めた状態で、第一留具が巻回された袋部に沿って追従し、第一留具が袋部の巻回された状態を保持するようにすることが好ましい。このような構成とすることにより、長尺物である第一留具によって、巻回された袋部が保持されるため、意図せずに巻回された袋部が解けにくくなる。
【００１０】
上記のサブバッグにおいて、袋部は、延ばした状態の袋部がランドセルの冠に対して揺動しないように固定する冠用固定具をさらに備えるようにすることが好ましい。これによって、袋部を延ばした状態でランドセルの冠にサブバッグを固定した状態で、袋部が揺動しにくくなる。
【００１１】
冠用固定具は、一端部が袋部に固定され、他端部が自由端とされた第一固定片と、一端部が袋部に固定され、他端部が自由端とされた第二固定片とを含み、第一固定片と第二固定片とは、それぞれの他端部において、接続又は分離可能に構成することが可能である。これによって、冠用固定具をランドセルの冠に容易に取り付けたり、取り外したりすることができる。
【００１２】
冠用固定具は、両端部が袋部に固定され、中ほどにランドセルのベロ及びサガリ金具を通過させる貫通孔を有する固定部を含むように構成することができる。これによって、袋部の下部をランドセルに対して固定して、サブバッグをより安定させることができる。
【００１３】
上記のサブバッグにおいて、袋部の上端部に手提用の持ち手をさらに備えるようにすることが好ましい。これによって、サブバッグを手提鞄として使用することも可能になる。
【発明の効果】
【００１４】
本発明によれば、ランドセルの上部に巻回した状態で固定することができるランドセル用サブバッグを提供することが可能である。
【図面の簡単な説明】
【００１５】
【図１】一実施形態に係るランドセル用サブバッグを表側から見た状態を示す斜視図である。
【図２】図１のランドセル用サブバッグの開口部を開けた状態を示す斜視図である。
【図３】図１のランドセル用サブバッグを巻回した状態を表側から見た状態を示す斜視図である。
【図４】図１のランドセル用サブバッグにおいて、第一留具を開いた状態を示す斜視図である。
【図５】図１のランドセル用サブバッグを裏側から見た状態を示す斜視図である。
【図６】図１のランドセル用サブバッグにおいて、取付具を開いた状態を表側から見た状態を示す斜視図である。
【図７】図１のランドセル用サブバッグをランドセルの背カンに取り付けた状態を示す斜視図である。
【図８】図１のランドセル用サブバッグを巻回した状態でランドセルの上部に固定した状態を示す斜視図である。
【図９】図１のランドセル用サブバッグを、ランドセルの上部に取り付けた後、巻回する過程を示した斜視図である。
【図１０】図１のランドセル用サブバッグを延ばした状態で、ランドセルの冠に取り付けた状態を示す斜視図である。
【図１１】図１のランドセル用サブバッグの第一固定片及び第二固定片を開いた状態を示す斜視図である。
【図１２】図１のランドセル用サブバッグの第一固定片及び第二固定片を冠に固定する過程を示した斜視図である。
【図１３】図１のランドセル用サブバッグの固定部にランドセルのベロとサガリ金具を通す様子を示した斜視図である。
【図１４】図１のランドセル用サブバッグの第一固定片及び第二固定片を冠に固定した状態を示す斜視図である。
【図１５】図１のランドセル用サブバッグを手提鞄として使用する様子を示す斜視図である。
【図１６】図１のランドセル用サブバッグを巻回した状態で手提鞄として使用する様子を表側から見た状態を示す斜視図である。
【図１７】図１のランドセル用サブバッグを巻回した状態で手提鞄として使用する様子を裏側から見た状態を示す斜視図である。
【発明を実施するための形態】
【００１６】
以下、図面を参照して、ランドセル用サブバッグ（以下、単にサブバッグと称する。）の一実施形態について説明する。以下の図面に示すサブバッグは、一例であり、これに限定されない。
【００１７】
図１ないし図１７に示したように、本実施形態のサブバッグ１は、袋部１１と、袋部１１に配される第一留具１２と、第一留具１２に対応する第二留具１３と、袋部１１をランドセル８の上部に固定する取付具１４とを含む。
【００１８】
袋部は、巻回することが可能な素材で構成され、内部に荷物を収納できるものであればよい。本実施形態では、袋部１１は、ポリエステルやナイロンなどの化学繊維を用いて構成された布地で構成されている。袋部は、綿、麻などの天然繊維で構成された布地で構成してもよい。布地の構成は、織布又は編布を利用することができる。強度の出やすい織布を採用することが好ましい。
【００１９】
本実施形態では、袋部１１は、図１に示したように、横方向に延びる幅よりも縦方向に延びる高さの方が長く、幅に比して厚みが小さい、マチ付きの扁平な袋である。袋部１１の上部は、縫合により閉じられており、左側面の布地から、底面の布地を経て、右来側面の布地に至る部分に、図２に示したように、開口部１１１が設けられている。開口部１１１には、線ファスナー１１２が配されている。線ファスナー１１２を操作することによって、図２に示したように、袋部の左側面から右側面に至る広範な部分を開いて荷物を出し入れすることができるようになっている。本実施形態では、袋部１１には、体操着や水着などの衣服、タオルを収納するのに適した形状となっている。袋部の形状は、収納する荷物に合わせて形状を変更すればよい。
【００２０】
第一留具及び第二留具は、袋部を巻回した状態で、第一留具と第二留具とを留めることで、袋部を巻回した状態にすることができるものであればよい。第一留具及び第二留具としては、例えば、雄側の面ファスナーと雌側の面ファスナー、一対のスナップ釦、又は長尺物と長尺物を留める固定具が挙げられる。長尺物としては、例えば、長尺な布片、長尺な紐が挙げられる。長尺物を留める固定具としては、長尺な布片又は長尺な紐の先端部分を留める釦、長尺な布片又は長尺な紐の先端部分を留める面ファスナー、又は長尺な布片又は長尺な紐の先端部分を留めるスナップ釦などが挙げられる。このような、第一留具と第二留具とを留めることにより、袋部を巻回した状態で維持することが可能になる。後述する取付具によって、ランドセルの上部に固定することで、サブバッグをランドセルの上部にコンパクトに取り付けることができる。
【００２１】
本実施形態では、図１及び図４に示したように、第一留具１２は、袋部１１の巻回方向に延びる長尺物である布片１２１で構成した。布片１２１は、フラップのように、袋部１１に対して開いたり閉じたりすることができる。布片１２１の基端部は、袋部１１の一端部に固定されている。なお、図３の例では、袋部１１の巻回方向は、袋部１１の高さ方向、すなわち長手方向と一致する。布片１２１の先端部の裏面には、図４に示したように、面ファスナー１２２が配されている。図４に示したように、袋部１１において面ファスナー１２２と向かい合う一方の面には、面ファスナー１２２に対応する収納用面ファスナー１２３が配されている。布片１２１を使用しないときは、図１に示したように、面ファスナー１２２と収納用面ファスナー１２３とを係合させて、布片１２１を収納状態としておくことができる。面ファスナー１２２及び収納用面ファスナーは、釦、又はスナップ釦等に変更してもよい。
【００２２】
本実施形態では、図３及び図５に示したように、袋部１１の他方の面には、第二留具１３として、上記の面ファスナー１２２に対応する面ファスナー１３１が配される。この面ファスナー１３１は、袋部１１の巻回方向に長手方向が位置する短冊状の形状である。この面ファスナー１３１は、布片１２１に配された面ファスナー１２２と係合することができる。他方の面に配される面ファスナー１３１は、長尺であるため、図３のように、袋部を巻回した際に面ファスナー１２２を係合させる位置を変更することにより、締結力を調節することが可能である。また、袋部１１に収納した荷物の量に応じて、面ファスナー１２２及び１３１を固定する位置を調節することが可能になっている。面ファスナー１２２もまた、巻回方向に対して長尺な形状であり、面ファスナー１２２及び１３１の接合強度が高くなるようにされている。
【００２３】
本実施形態のサブバッグ１では、図３のように、袋部１１を巻回する際には、袋部１１の他端部における他方の面が一方の面を向くように折り返すことにより、他方の面に配された面ファスナー１３１が一方の面に向くようにして、巻回する。このため、布片１２１に設けられた面ファスナー１２２と、他方の面に配された面ファスナー１３１とが向かい合い、互いに係合させることができる。
【００２４】
布片１２１は、基端部においては袋部１１の幅と同程度の幅を有し、先端部に向かって先細となるテーパー部１２４を有し、テーパー部１２４の先に略方形の操作部１２５を有する形状である。操作部１２５の裏面には、上記の面ファスナー１２２が配される。布片１２１は、このような形状とされているため、意匠性に優れており、面ファスナー１２２を操作する際に面ファスナー１２２にアクセスしやすい形状となっている。これにより、面ファスナー１２２、１２３、及び１３１の着脱操作が行いやすいようになっている。
【００２５】
上記のように、第一留具１２を巻回方向に延びる布片１２１のような長尺物とし、この長尺物を第二留具１３に留めることによって、図８に示したように、長尺物である第一留具１２が巻回された袋部１１に沿って追従するように変形し、第一留具１２が、袋部１が巻回された状態を安定して保持することができる。これによって、巻回された袋部１１を解けにくくすることができる。
【００２６】
図８及び図１０に示したように、操作部１２５の一方の面は、再帰性反射材１２７が固定されている。図８及び図１０に示したように、操作部１２５は、サブバッグ１をランドセルの上に巻回した状態、及びサブバッグ１をランドセル８の冠８１を覆うように延ばした状態の両方において、ランドセル８の着用者の背面に向いている。操作部１２５に再帰性反射材１２７を設けることによって、例えば、暗所において背面から近づく車両に対して、光を反射して、注意を喚起することができる。
【００２７】
取付具は、サブバッグをランドセルの上部に固定することができるものであればよい。本実施形態では、取付具１４は、図１及び図６に示したように、袋部１１の一端部に基端部が固定されており、先端部に固定具１４２を有する巻回方向に対して延びる長尺な布片１４１から構成される。この固定具１４２は、図６に示したように、上述の布片１２１の一方の面に設けられた固定具１２６に留めることができる。固定具１４２及び１２６としては、雄側面ファスナーと雌側面ファスナーを使用している。固定具としては、他に、スナップ釦、又は釦と釦を留めることができる切れ込みなどが挙げられる。布片１４１の固定具１４２を省略して、布片１４１を直接にランドセル８又は袋部１１に設けた釦などの固定具に結びつけてもよい。また、取付具は、上記の布片に限定されず、例えば、フック、カラビナ、ナスカンなどの開閉可能に構成した環状体又は紐などを使用してもよい。
【００２８】
図６の取付具１４を構成する布片１４１は、使用していないときは、図１に示したように、布片１２１に配された固定具１２６に留めておくことができる。布片１４１は、袋部１１に対して開いたり閉じたりすることができる。このようにすることで、使用していないときに、取付具１４が邪魔にならないようにし、サブバッグ１の意匠性を損なわないようにしている。サブバッグ１をランドセル８に対して取り付ける際には、図７に示したように、例えば、ランドセル８の背カン８４に布片１４１を通して、固定具１４２、１２６を留める。これによって、図８に示したように、ランドセル８の上部にサブバッグ１を巻回した状態で固定することができる。サブバッグ１は、図３に示したように、ランドセル８に取り付ける前に巻回してもよいし、図９に示したように、ランドセル８に取り付けた状態で、袋部１１を巻回して、第一留具１２と第二留具１３とを留めて、巻回した状態を保持するようにしてもよい。
【００２９】
サブバッグ１を巻回した状態で、ランドセル８の上部に固定する際には、図８及び図９に示したように、後述する冠用固定具１５をランドセル８の冠８１に対して固定することが好ましい。ランドセル８に巻回したサブバッグ１を固定した状態で、例えば、ランドセルの着用者が走ったり飛び跳ねたりすると、巻回したサブバッグ１が跳ねて、着用者の頭などに当たることがある。巻回した状態においても、冠用固定具１５をランドセル８の冠８１に対して固定することによって、サブバッグ１を安定させることができる。
【００３０】
サブバッグ１は、上述のように巻回した状態でランドセル８に固定して使用する以外に、図１０に示したように、ランドセル８の冠８１をサブバッグ１で覆うように、袋部１１を延ばした状態で、取り付けて使用することも可能である。例えば、サブバッグ１に荷物を収納していない状態又は荷物の重量が小さい場合においてサブバッグ１でランドセル８の冠８１を覆うカバーとして使用することができる。このようにして、サブバッグ１を取り付ける場合には、歩行する際などにサブバッグ１が揺動したり、冠８１の上を跳ねるように動いたりすることがある。このためサブバッグ１には、冠用固定具を設けることが好ましい。
【００３１】
本実施形態のサブバッグ１では、２種の冠用固定具１５及び１６を備える。一つ目の冠用固定具１５は、図１１に示したように、第一固定片１５１と、第二固定片１５２とを含む。第一固定片１５１及び第二固定片１５２は、共に、一端部が袋部１１に固定され、他端部が自由端とされている。それぞれの他端部には、図１２に示したように固定具１５３が配されている。第一固定片１５１及び第二固定片１５２は、それぞれ、巻回方向に交差する方向に延びており、冠の中ほどで接続分離可能な形状をしている。固定具１５３及び１５３により、図１２に示したように、袋部１１の他方の面において、第一固定片１５１又は第二固定片１５２を開いたり閉じたりすることにより、第一固定片１５１の他端部と第二固定片の他端部とを接続したり分離したりすることが可能になっている。固定具１５３、１５３としては、雄側面ファスナーと雌側面ファスナーを使用している。固定具として、その他、スナップ釦、釦と釦を留めることができる切れ込み、又は線ファスナーなどを使用することができる。
【００３２】
第一固定片又は第二固定片は、袋部が揺動したり、跳ねたりしたりする動きを規制できるものであればよい。第一固定片又は第二固定片は、特に限定されないが、ランドセルの冠の形状に追従して変形する素材で構成することが好ましく、袋部と同様の素材で構成することが好ましい。第一固定片又は第二固定片の形状は、特に限定されないが、例えば、長方形状、帯状などの扁平な形状、又は紐状にすることができる。
【００３３】
上記の冠用固定具１５を、冠８１に固定するには、図１２に示したように、袋部１１の他方の面を冠８１に接面させた状態で、冠８１の側面を経て冠８１の裏側に第二固定片１５２が接面するように第二固定片１５２を閉じる。同様に、冠８１の側面を経て、第二固定片１５２に配した固定具１５３に第一固定片１５１の固定具１５３が接触するように、第一固定片１５１を閉じる。これにより、第一固定片１５１、第二固定片１５２、及び袋部１１の他方の面との間に、ランドセル８の冠８１が拘束されて、サブバッグ１の揺動等が規制される。第一固定片１５１及び第二固定片１５２を設ける位置は、冠８１の上端から中央部までの領域に設けることが好ましい。本実施形態では、第二固定片が下方となり、第一固定片が上方となる構成を示したが、第一固定片が上方となり、第二固定片が下方となるように、変更してもよい。
【００３４】
もう一つの冠用固定具１６は、図１３及び図１４に示したように、両端部が袋部１１に固定され、その中ほどにランドセル８のベロ８２及びサガリ金具８３を通過させる貫通孔１６２を有する固定部１６１を有する構成である。固定部１６１は、袋部１１の他方の面に配されている。固定部１６１の貫通孔１６２にベロ８２及びサガリ金具８３を通過させることによって、サブバッグ１の揺動等が規制される。固定部１６１の形状は、特に限定されないが、帯状などの扁平な形状にすることができる。固定部１６１を設ける位置は、冠の下端部に設けることが好ましい。
【００３５】
袋部１１の上端部には、手提用の持ち手１７を設けることが好ましい。これによって、図１５に示したように、サブバッグ１を手提鞄として使用することが可能である。持ち手は、袋部１１を手提鞄として提げることができるものであればよく、例えば、帯状の布片を環状に袋部に固定したものが挙げられる。
【００３６】
図１６及び図１７に示したように、サブバッグ１を手提鞄として使用する際には、袋部１１を巻回した状態で、第一留具１２の面ファスナー１２２を、袋部１１の他方の面に設けた第二留具１３を構成する面ファスナー１３１に留めて、袋部１１を巻回した状態で保持するようにしてもよい。身長の低い児童がサブバッグ１を手提袋として使用すると、サブバッグ１の底が地面についた状態で引きずることが想定される。袋部１１を巻回した状態で手提袋として使用することで、そのような事態を防止することができる。
【００３７】
上記の実施形態のサブバッグ１では、図２に示したように、袋部１１は、一方の面を構成する縦長の長方形の生地１８１と、他方の面を構成する縦長の長方形の生地１８３と、袋部１１の底部のマチを形成する生地１８２との３点を縫合して、袋状になしたものである。上記の第一留具１２、取付具１４、持ち手１７、第一固定片１５１、第二固定片１５２、又は固定部１６を、生地１８１、１８２、及び１８３と重ねて縫い合わせることが好ましい。これによって、生地１８１、１８２及び１８３を袋状にする際に、第一留具１２等を併せて袋部１１に固定することができる。また、このようにすることによって、第一留具１２等が袋部１１に固定される強度を高めることができる。
【００３８】
上記の実施形態のサブバッグ１では、取付具１４、冠用固定具１５、又は冠用固定部１６は、使用していない状態、すなわち、閉じた状態において、袋部の一方の面又は他方の面から突出しない形状となっている。つまり、一方の面又は他方の面から見たときに、取付具１４、冠用固定具１５、又は冠用固定部１６が、一方の面に配される生地１８１又は他方の面に配される生地１８３から、突出する形状ではないので、美感において優れるだけでなく、サブバッグ１を使用する際に、取付具１４等の前記構造物が邪魔になりにくい。
【００３９】
上記の実施形態のサブバッグ１では、袋部１１の上端部に第一留具１２を配し、袋部の他方の面に第二留具１３を配する構成である。第一留具は、袋部の下端部に配してもよい。
【００４０】
上記の実施形態のサブバッグ１では、一方の面に第一留具１２が設けられ、他方の面に第二留具１３が設けられる構成となっている。この構成を一方の面に第二留具を設けて、他方の面に第一留具を設けるようにしてもよい。
【００４１】
上記の実施形態のサブバッグ１では、一方の面にランドセルの上部に固定するための取付具１４が設けられている。この構成を他方の面に取付具１４を設けるようにしてもよい。
【００４２】
上記の実施形態のサブバッグでは、一方の面をサブバッグの表面とし、他方の面をサブバッグの裏面とする例を示した。一方の面が裏面となり、他方の面が表面になるように、変更してもよい。
【００４３】
上記のサブバッグでは、第一留具を長尺物とし、第二留具を面ファスナーなどの固定具にした。第一留具を面ファスナーなどの固定具として、第二留具を長尺物に変更してもよい。また、第一留具を紐や布片などの長尺物として、第二留具もまた紐や布片などの長尺物として、両者を連結する構成としてもよい。
【符号の説明】
【００４４】
１      ランドセル用サブバッグ
１１    袋部
１２    第一留具
１３    第二留具
１４    取付具
１５    冠用固定具
１６    冠用固定具
１５１  第一固定片
１５２  第二固定片
１６１  固定部
１７    持ち手
８      ランドセル
８１    冠
【図１】
2020065616.tif 000003
【図２】
2020065616.tif 000004
【図３】
2020065616.tif 000005
【図４】
2020065616.tif 000006
【図５】
2020065616.tif 000007
【図６】
2020065616.tif 000008
【図７】
2020065616.tif 000009
【図８】
2020065616.tif 000010
【図９】
2020065616.tif 000011
【図１０】
2020065616.tif 000012
【図１１】
2020065616.tif 000013
【図１２】
2020065616.tif 000014
【図１３】
2020065616.tif 000015
【図１４】
2020065616.tif 000016
【図１５】
2020065616.tif 000017
【図１６】
2020065616.tif 000018
【図１７】
2020065616.tif 000019
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
袋部と、袋部に配される第一留具と、第一留具に対応する第二留具と、袋部をランドセルの上部に固定する取付具とを含むランドセル用サブバッグであり、
袋部は巻回することが可能な素材で構成されており、
第一留具及び第二留具を留めることによって、袋部を巻回した状態で留めて、袋部に荷物を入れた状態で取付具によってランドセルの上部に固定することが可能であり、
第一留具は、袋部に設けられ、巻回方向に延びる長尺物であり、
第二留具は、第一留具を留めるものであり、
第一留具と第二留具を留めた状態で、第一留具が巻回された袋部に沿って追従し、第一留具が袋部の巻回された状態を保持する
ランドセル用サブバッグ。
【請求項２】
袋部は、延ばした状態の袋部がランドセルの冠に対して揺動しないように固定する冠用固定具をさらに備える請求項１に記載のランドセル用サブバッグ。
【請求項３】
冠用固定具は、
一端部が袋部に固定され、他端部が自由端とされた第一固定片と、
一端部が袋部に固定され、他端部が自由端とされた第二固定片とを含み、
第一固定片と第二固定片とは、それぞれの他端部において、接続又は分離可能に構成されている請求項１又は２に記載のランドセル用サブバッグ。
【請求項４】
冠用固定具は、
両端部が袋部に固定され、中ほどにランドセルのベロ及びサガリ金具を通過させる貫通孔を有する固定部を含む請求項１ないし３のいずれかに記載のランドセル用サブバッグ。
【請求項５】
袋部の上端部に手提用の持ち手をさらに備える請求項１ないし４のいずれかに記載のランドセル用サブバッグ。